(57)【要約】【課題】押すだけで簡単に開閉できる引出しを備えたキッチンキャビネットを提供する。【解決手段】シンク３と、シンク３の前方に収納部Ｓを有する引出し５を備えたキッチンキャビネットであって、引出し５は、キャビネット本体に対して前後移動可能に支持されており、引出し５を開く方向へ付勢するバネ１９と、引出しを奥側へ押す毎にロック解除状態とロック状態とを切り替えるラッチ手段２４と、引出しの移動時に制動力を与えるダンパー手段とからなる押出し機構１０と、引出しの左右両側に固設されたラック３３と、キャビネット本体の左右両側にラック３３に噛み合って回転可能に設けられた歯車３１，３１と、左右の歯車３１，３１を連結する回転軸３２とからなるリンク機構１１とを備え、リンク機構１１の回転軸３２はシンク３の前方側に設けられている。【選択図】図３
2008049093.tif 000002
【特許請求の範囲】
【請求項１】
キャビネット本体に設けられたシンクと、該シンクの前方に収納部を有する引出しと、
を備えたキッチンキャビネットであって、
前記引出しは、
キャビネット本体に対して前後移動可能に支持する支持機構と、
引出しを開く方向へ付勢する付勢手段と、引出しを奥側へ押す毎に引出しを開くことを許容するロック解除状態と引出しを開くことを規制するロック状態とを交互に切り替えるラッチ手段と、引出しが開閉移動する際に引出しに対して制動力を与えるダンパー手段と、からなる押出し機構と、
引出し又はキャビネット本体のうちの一方の左右両側に固設されたラックと、引出し又はキャビネット本体のうちの他方の左右両側に前記ラックに噛み合った状態で回転可能に支持された歯車と、前記左右両側の歯車を連結する回転軸と、からなるリンク機構と、
を備え、
該リンク機構の前記回転軸はシンクの前方側に設けられたことを特徴とするキッチンキャビネット。
【請求項２】
前記押出し機構は、前記引出しの略中央位置でかつ引出しの底板の下方の桟に設けられ、該底板の下方からシンクの下方位置へ向かって延設されていることを特徴とする請求項１に記載のキッチンキャビネット。
【発明の詳細な説明】
【技術分野】
【０００１】
本発明は、シンクの前方に収納部を有する引出しを備えたキッチンキャビネットに関するものである。
【背景技術】
【０００２】
従来、特許文献１に開示されているように、引出しの左右位置をラック，ピニオンで同期させるリンク機構を備え、引出しを平行移動させることができる家具が存在する。
また、特許文献２に開示されているように、引出しに付勢手段，ラッチ手段，ダンパー手段を備え、引出しを自動で送り出しできるように構成したものが存在する。
また、特許文献３に開示されているように、シンクの前に引出しを備えたキッチンキャビネットが存在する。
【特許文献１】実開昭６４−１４８８２号公報
【特許文献２】実用新案登録第２５３７７９７号公報
【特許文献３】実開平５−８８３４４号公報
【発明の開示】
【発明が解決しようとする課題】
【０００３】
上記特許文献１に開示されている構造は、キッチンキャビネットではなく家具の構造であり、シンクの前に設けられた引出しを、押すだけで簡単かつ確実に開閉でき、かつ収納空間を最大限に確保できる高級感のあるキッチンキャビネットの出現が望まれていた。
【課題を解決するための手段】
【０００４】
本発明は上記従来の問題点に鑑み案出したものであって、シンクの前の限られたスペースを収納部として有効利用することができ、引出しは押すだけで簡単かつ確実に開閉できるキッチンキャビネットを提供せんとするものであり、その請求項１は、キャビネット本体に設けられたシンクと、該シンクの前方に収納部を有する引出しと、を備えたキッチンキャビネットであって、前記引出しは、キャビネット本体に対して前後移動可能に支持する支持機構と、引出しを開く方向へ付勢する付勢手段と、引出しを奥側へ押す毎に引出しを開くことを許容するロック解除状態と、引出しを開くことを規制するロック状態とを交互に切り替えるラッチ手段と、引出しが開閉移動する際に引出しに対して制動力を与えるダンパー手段と、からなる押出し機構と、引出し又はキャビネット本体のうちの一方の左右両側に固設されたラックと、引出し又はキャビネット本体のうちの他方の左右両側に前記ラックに噛み合った状態で回転可能に支持された歯車と、前記左右両側の歯車を連結する回転軸と、からなるリンク機構とを備え、該リンク機構の前記回転軸はシンクの前方側に設けられたことである。
【０００５】
また、請求項２は、前記押出し機構は前記引出しの略中央位置でかつ引出しの底板の下方の桟に設けられ、該底板の下方からシンクの下方位置へ向かって延設されていることである。
【発明の効果】
【０００６】
本発明は、キャビネット本体に設けられたシンクと、該シンクの前方に収納部を有する引出しと、を備えたキッチンキャビネットであって、前記引出しは、キャビネット本体に対して前後移動可能に支持する支持機構と、引出しを開く方向へ付勢する付勢手段と、引出しを奥側へ押す毎に引出しを開くことを許容するロック解除状態と、引出しを開くことを規制するロック状態とを交互に切り替えるラッチ手段と、引出しが開閉移動する際に引出しに対して制動力を与えるダンパー手段と、からなる押出し機構と、引出し又はキャビネット本体のうちの一方の左右両側に固設されたラックと、引出し又はキャビネット本体のうちの他方の左右両側に前記ラックに噛み合った状態で回転可能に支持された歯車と、前記左右両側の歯車を連結する回転軸と、からなるリンク機構とを備え、該リンク機構の前記回転軸はシンクの前方側に設けられたことにより、シンク前方のスペースを収納部として有効利用することができるものとなる。
また、ラッチ手段により引出しを押すだけで開閉させることができ、操作が楽であり、しかも、引出しはダンパー手段によりゆっくり開閉するため、高級感があるキッチンキャビネットとなる。また、引出しの端側を押した場合でも、リンク機構により、引出しの左右両端の前後方向の位置を常に同じ位置に保ちながら前後に移動させるので、引出しが傾くことなくスムーズに前後方向に動き、引出しの開閉を確実に行なうことができるものとなる。
また、回転軸がシンクの前方側に設けられているため、デッドスペースを最小限に抑え、キャビネット全体としての収納空間を最大限に確保することができるものとなる。
【０００７】
また、前記押出し機構は前記引出しの略中央位置でかつ引出しの底板の下方の桟に設けられ、該底板の下方からシンクの下方位置へ向かって延設されていることにより、シンクの下方の空間に押出し機構部を延設させたため、デッドスペースを有効利用できるものとなり、また、押出し機構部は中央に１個設ければ良いため、左右両側に設ける場合に比して部品点数を減少させることができるものとなる。
【実施例】
【０００８】
以下、本発明の実施例を図面に基づいて説明する。
図１は、キッチンキャビネットの斜視構成図であり、キッチンキャビネット１は、上面のカウンター２にシンク３が設けられており、カウンター２にはシンク３内に給水するための水栓４が設けられている。また、シンク３の前部には、前方側へ引出し可能に引出し５が設けられている。
このキッチンキャビネット１の縦断面側面構成図を図２に示し、さらに図３では、図２の要部拡大構成図を示す。
【０００９】
キッチンキャビネット１の本体は、背側の背板１ａと左右の両側板１ｂ，１ｂで箱状に形成されており、シンク３の前部３ａの前方側に、収納部Ｓを形成する引出し５が設けられている。
引出し５は、前面側に前板５ａが設けられ、底板５ｂが、シンク３の底面３ｃの下方に背板１ａ側に延設されている。なお、収納部Ｓには、前板５ａの裏面側に固設された図示しない包丁収納部材が配置されている。
この引出しの底板５ｂの下方側に、押出し機構１０が背板１ａ側に延設されており、押出し機構１０は、キッチンキャビネットの桟木１ｃ上に固定されたものとなっている。
なお、この押出し機構１０は、図５の平面概略構成図で示すように、キッチンキャビネットの左右の側板１ｂ，１ｂの略中央部に前方側から後方側に延びて配設されたものである。
【００１０】
なお、図４の縦断面を前面側から見た構成図で示すように、中央に１個配設された押出し機構１０に対し、キッチンキャビネットの左右の側板１ｂ，１ｂの内側には、それぞれリンク機構１１，１１が設けられている。
また、左右の側板１ｂ，１ｂの内側に固定されて前後方向に延びるチャンネル状断面をなすレール受け６と、このレール受け６に戸車を介し前後方向にスライド移動できるレール７が引出し５の左右両側に設けられている。
即ち、このキッチンキャビネットの側板１ｂ側に固定されたレール受け６，６と、引出し５の左右側に設けられたレール７，７により支持機構が構成されており、レール受け６に沿ってレール７が前後方向に移動することで、引出し５がキッチンキャビネットの本体から前後方向に移動されて開閉されるものである。
【００１１】
本例におけるキッチンキャビネットの引出し５は、前記中央部に設けられた押出し機構１０により、引出し５の前板５ａを前方側から手で押すと、ラッチが解除されて、付勢手段とダンパー手段により自然にゆっくりと引出しが前方側へ開き、再度、引出しを押すとラッチがロックされて、引出しが閉まるように構成されている。
また、左右の側板１ｂ，１ｂの内側に設けられた左右のリンク機構１１，１１により、引出し５の左右両端の前後方向の位置を常に同じ位置に保ちながら、引出し５が傾くことなく前後方向に移動されるように構成されており、横長の引出しの端側を手で押した場合にも、傾くことなく引出し５が前方側へゆっくりと引き出されてくるように構成されている。
【００１２】
即ち、幅方向中央に１個設けられた押出し機構１０により、引出し５を押すだけでゆっくりと開閉させることができ、左右のリンク機構１１，１１により、引出しの端側を押した場合でも、引出しが傾かずに確実に開閉されるように構成されている。
また、中央の押出し機構１０は、引出し５の底板５ｂの下方側に配置されて、底板５ｂで隠されるため、上方側から見た場合に押出し機構１０は隠蔽されて、引出しの見栄えが良好なものであり、押出し機構１０はシンク３の底面３ｃの下方のデッドスペース内に後方側へ延設させて、すっきりとした状態で配置されるものである。
【００１３】
前記押出し機構１０は、キッチンキャビネット本体の桟木１ｃに固定状に取り付けられる本体側部材２０と、引出し５の底板５ｂの下面に取り付けられる引出し側部材１２で構成されており、引出し側部材１２の平面図を図６に示し、また図７では、引出し側部材１２の正面図を示す。また図８には、本体側部材２０の平面図を示し、図９には、本体側部材２０の正面図を示す。
【００１４】
先ず、引出し側部材１２を説明すると、引出し側部材１２は、左右両端側を垂直に折り曲げて略コの字状断面に形成されたスライド板１３の略中央部前側に、貫通して長方形状の係合孔１４が形成されており、この係合孔１４の下側には、後方側へ突出する押し片１５が形成されている。また、左右両端側の垂直な折り曲げ部には、対向状に戸車１６，１６が転動可能に設けられている。
【００１５】
また、スライド板１３の図示右側上面には、前後方向にラック部材１７が固定されており、ラック部材１７の右端側には前後方向に延びるラック歯１７ａが形成されている。このラック部材１７の上面側に２個上方へ突出して突起１８，１８が設けられており、この突起１８，１８が引出し５の底板５ｂに形成されている図示しない孔内に係合され、この突起１８，１８を介して引出し側部材１２が引出しの底板５ｂに連結されるように構成されている。
また、ラック部材１７と対向するスライド板１３の左側上面には、バネ１９が前後方向に配置され、このバネ１９の後端側を連結固定するためのバネ取付部１２ａがスライド板１３から垂下状に突出形成されている。
【００１６】
一方、キャビネット本体側に固定される本体側部材２０は、桟木１ｃに固定状に取り付けられる固定板２１の左右両側上面に、引出し側部材１２の戸車１６，１６が嵌まり込んで転動するレール部２１ａ，２１ａが形成されており、この左右のレール部２１ａ，２１ａの前方側には、戸車２２，２２が転動可能に設けられている。また、この戸車２２，２２間の中央部の前方側には、回転可能にラッチ２４が左右方向に設けられている。また、前記バネ１９の前端側を取り付け固定するためのバネ取付部２３が上方へ突出形成されている。
【００１７】
また、右端縁の前方側には水平面内で回転できるギヤダンパー２５が設けられており、このギヤダンパー２５は回転する時に制動力を発揮するように構成されたものであり、このギヤダンパー２５が、引出し側部材１２のラック部材１７のラック歯１７ａに噛み合わされて、本体側部材２０の上面に引出し側部材１２が図１０に示すように組み付けられ、固定された本体側部材２０に対し、引出し５に連結された引出し側部材１２が前後方向にスライド移動できるように構成されている。
【００１８】
図６では、バネ１９が延びた状態を示しており、この状態は、引出し５が閉まっている状態であり、図８に示すように、バネ１９が縮んだ状態は、引出し５が開かれた状態である。
即ち、バネ１９は引出し５が閉じられている時には伸長されて、常に引出し５を開く方向に付勢する付勢手段を構成するものである。
なお、引出し５は収納部Ｓの容積は比較的小さく、奥行き及び高さも比較的小さいものであるため、押出し機構１０の付勢手段であるバネ１９は比較的弱いものであっても、良好に引出し５を前方側へ自動的に開かせてゆくことができるものである。
【００１９】
また、前記ラック部材１７のラック歯１７ａにギヤダンパー２５が噛み合わされることで、引出し側部材１２が前方側へ勢い良く一気に移動することが防がれて、ギヤダンパー２５とラック部材１７により、ゆっくりと引出し５を前方側へ移動させるダンパー手段が構成されている。
また、前記ラッチ２４と、このラッチ２４が係合する係合孔１４及び押し片１５でラッチ手段が構成されている。
【００２０】
即ち、このラッチ手段の作用を図１１〜図１４において説明すると、図１１では、引出し５が閉じられている状態であり、この図１１の状態で引出しの前板５ａを手で後方側へ押すと、押し片１５がラッチ２４を時計方向に回転させて、ラッチ２４は図１２のように横向きとなり、この図１２の状態では、引出し側部材１２のスライド板１３の下方側にラッチ２４が横長状となってロックが解除された状態となり、この図１２の状態では、引出しはバネ１９の付勢力により前方側へ自動的に移動してくることとなり、ギヤダンパー２５により制動されて、ゆっくりとした速度で前方側へ引出し５が開かれてゆくこととなる。
【００２１】
次に、引出し５を後方側へ手で押し込むと、図１３に示すように、引出し側部材１２の押し片１５がラッチ２４を時計方向に回転させて、ラッチ２４が係合孔１４内に嵌まり込んだ状態となり、この状態では、ラッチ２４に引出し側部材１２のスライド板１３が図１４のように当接して、引出し５は閉じた状態、即ちロック状態に保持されることとなり、前方側へのバネ１９の付勢力が作用していても引出し５は前方側へ出てくることはない。
このようにラッチ手段により、閉まっている引出し５を押すとラッチ２４が解除されて、バネ１９とギヤダンパー２５の作用により自然にゆっくりと引出し５が前方側へ移動して開かれ、再度、引出しを押し込むとラッチ２４がロック状態となり、引出し５が閉まるものである。
【００２２】
次に、図１５〜図１９は、両側に設けられているリンク機構１１を示すものであり、図１５は、左側のリンク機構１１の縦断面構成図であり、図１６は、左側のリンク機構の斜視構成図であり、図１７は、リンク機構のうちキャビネット本体の側板１ｂ側に固定される部材の側面構成図であり、図１８は、図１７の平面構成図である。
【００２３】
前述したように、キャビネット本体の側板１ｂの内側にはレール受け６が固定されており、このレール受け６の上方に、上下端に固定片２６ａ，２６ａを有する断面コの字状の固定金具２６がビス２７，２７を介して取り付け固定されている。
この固定金具２６の下端側には、略水平に内側へ突出して当接片２６ｂが一体形成されており、また、固定金具２６の前方側には、長方形状の係入孔２６ｃが貫通形成されている。
【００２４】
この固定金具２６には、Ｌ字状断面の上下回動板２７が、上下回動軸２８を軸として前方側が上下方向に回動できるように取り付けられており、この上下回動板２７の垂下片２７ａが、固定金具２６の当接片２６ｂ上に当接して位置決めされている。
また、上下回動板２７には、水平回動軸２９を介して左右方向に回動できる水平回動板３０が取り付けられており、この水平回動板３０の内側には、垂下状にレバー部３０ａが一体形成され、反対側には、前記係入孔２６ｃ内に係入可能に、くの字状に折り曲げた板バネ部３０ｂが形成されている。
また、上下回動板２７の内側には、垂下状に垂下支持部２７ｂが形成されており、この垂下支持部２７ｂの下端側に歯車３１が回転可能に取り付けられており、右側のリンク機構１１の歯車３１と左側のリンク機構１１の歯車３１は回転軸３２により連結されたものとなっている。
【００２５】
一方、引出し５の左右端にはビス３４を介しラック３３が立設固定されており、さらに引出し５の左右端にはレール７が固定されて、このレール７が戸車８を介在させてキャビネット本体の側板１ｂ側に固定されているレール受け６に沿ってスライド移動できるものであり、引出し５が前後方向に移動する際に、ラック３３の上面の歯に歯車３１が噛合されて歯車３１が回転し、左右にそれぞれ設けられた歯車３１，３１は連結軸３２で連結されているため、引出し５の左右両端の前後方向の位置を常に同じ位置に保ちながら、引出し５を前後へ移動させることができるものとなる。
【００２６】
即ち、左右のラック３３，３３と歯車３１，３１と回転軸３２でリンク機構が構成されており、リンク機構で左右の移動量が同期されるため、引出し５の左右両端の前後方向の位置を常に同じ位置に保ちながら、引出し５は傾くことなく良好に前後方向に移動できるものであり、引出し５の左右何れかの端側を手で押した場合でも、引出し５は傾くことなく前後方向に動くため、引出しの開閉を確実に行なうことができるものとなる。
なお、この左右側のリンク機構１１は、引出し５の底板５ｂの上方側に配置されており、左右のリンク機構１１と中央の押出し機構１０が干渉しないようにコンパクトに取り付け構成されている。
【００２７】
また、回転軸３２は、シンク３の前部３ａの前方側に設けられているため、図２０の説明図で示すとおり、収納部Ｓにおいて、収納空間として利用できないデッドスペース３４を最小限に抑えることができるものとなる。
即ち、図２１の説明図で示すように、回転軸３２をシンク３の下方側へ設けることも考えられるが、この場合は、シンク３前方の引出し５の深さを増やし、引出し底板５ｂとシンクの底面３ｃとの間に空間を設けて、その空間に回転軸３２を配置することとなる。しかしながら、この場合、図２１の説明図で示すとおり、回転軸３２の後方側の収納空間として利用できないデッドスペース３５が大きくなってしまい、結果的にキャビネット全体としての収納空間を少なくしてしまうこととなる。従って、シンク３の前方側に回転軸３２を設けることにより、デッドスペースを最小限に抑え、キャビネット全体としての収納空間を最大限に確保することができるものとなる。
【００２８】
キャビネット本体から引出し５を取り外す場合には、レバー部３０ａを内側へ引き、水平回動軸２９を支点として水平回動板３０を図１８のように内側へ回転させて、板バネ部３０ｂを係入孔２６ｃから抜き取ると、上下回動板２７は上下回動軸２８を介して上方側へ回動可能な状態となるため、図１９に示すように、上下回動板２７の前方を上方へ回転させ、垂下支持部２７ｂを介して歯車３１及び回転軸３２を上方へ持ち上げることができ、この状態では、ラック３３と歯車３１の噛合状態が外れるため、良好にラック３３と一体で引出し５をキャビネット本体から取り外すことができるものである。
【００２９】
引出し５をキャビネット本体に取り付ける時には、逆に、引出し５のレール７をレール受け６にスライド可能に係合させた後に、上下回動板２７を下方側へ移動させて、歯車３１をラック３３に噛み合わせ、水平回動板３０を固定金具２６側へ回転させて、係入孔２６ｃ内に板バネ部３０ｂを係合させて固定状態とすることができる。
【図面の簡単な説明】
【００３０】
【図１】キッチンキャビネットの斜視構成図である。
【図２】キッチンキャビネットの縦断面側面構成図である。
【図３】図２の要部拡大構成図である。
【図４】キッチンキャビネットの縦断面を前方側から見た構成図である。
【図５】キッチンキャビネットの引出し及び押出し機構の配置状態の平面断面構成図である。
【図６】押出し機構の構成部材である引出し側部材の平面構成図である。
【図７】図６の正面構成図である。
【図８】押出し機構の構成部材である本体側部材の平面構成図である。
【図９】図８の正面構成図である。
【図１０】本体側部材に引出し側部材を組み付けた押出し機構の正面構成図である。
【図１１】ラッチ手段の作用を示し、引出しが閉じられている状態の概略構成図である。
【図１２】ラッチ手段のロックが解除された状態の作用説明図である。
【図１３】引出しを押し込んでラッチが立ち上がった状態の作用説明図である。
【図１４】ラッチがロック状態となった作用説明図である。
【図１５】リンク機構の縦断面正面構成図である。
【図１６】リンク機構の斜視構成図である。
【図１７】リンク機構のうちキャビネット本体側に固定される部材の側面構成図である。
【図１８】図１７の上方側から見た平面構成図である。
【図１９】引出しを取り外す際にラックから歯車を外した状態のリンク機構の斜視構成図である。
【図２０】回転軸をシンクの前方に設置した状態を示す説明図である。
【図２１】回転軸をシンクの下方に設置した状態を示す説明図である。
【符号の説明】
【００３１】
１  キッチンキャビネット
１ａ  背板
１ｂ  側板
１ｃ  桟木
２  カウンター
３  シンク
３ａ  シンクの前部
３ｃ  シンクの底面
５  引出し
５ａ  前板
５ｂ  底板
６  レール受け
７  レール
１０  押出し機構
１１  リンク機構
１２  引出し側部材
１２ａ  バネ取付部
１３  スライド板
１４  係合孔
１５  押し片
１６  戸車
１７  ラック部材
１７ａ  ラックの歯
１８  突起
１９  バネ
２０  本体側部材
２１  固定板
２１ａ  レール部
２２  戸車
２３  バネ取付部
２４  ラッチ
２５  ギヤダンパー
２６  固定金具
２６ａ  固定片
２６ｂ  当接片
２６ｃ  係入孔
２７  上下回動板
２７ａ  垂下片
２８  上下回動軸
２９  水平回動軸
３０  水平回動板
３０ａ  レバー部
３０ｂ  板バネ部
３１  歯車
３２  回転軸
３３  ラック
Ｓ  収納部
【図１】
2008049093.tif 000003
【図２】
2008049093.tif 000004
【図３】
2008049093.tif 000005
【図４】
2008049093.tif 000006
【図５】
2008049093.tif 000007
【図６】
2008049093.tif 000008
【図７】
2008049093.tif 000009
【図８】
2008049093.tif 000010
【図９】
2008049093.tif 000011
【図１０】
2008049093.tif 000012
【図１１】
2008049093.tif 000013
【図１２】
2008049093.tif 000014
【図１３】
2008049093.tif 000015
【図１４】
2008049093.tif 000016
【図１５】
2008049093.tif 000017
【図１６】
2008049093.tif 000018
【図１７】
2008049093.tif 000019
【図１８】
2008049093.tif 000020
【図１９】
2008049093.tif 000021
【図２０】
2008049093.tif 000022
【図２１】
2008049093.tif 000023
【手続補正書】
【提出日】平成19年1月9日(2007.1.9)
【手続補正１】
【補正対象書類名】特許請求の範囲
【補正対象項目名】全文
【補正方法】変更
【補正の内容】
【特許請求の範囲】
【請求項１】
キャビネット本体に設けられたシンクと、該シンクの前方に収納部を有する引出しと、
を備えたキッチンキャビネットであって、
前記引出しをキャビネット本体に対して前後移動可能に支持する支持機構と、
引出しを開く方向へ付勢する付勢手段と、引出しを奥側へ押す毎に引出しを開くことを許容するロック解除状態と引出しを開くことを規制するロック状態とを交互に切り替えるラッチ手段と、引出しが開閉移動する際に引出しに対して制動力を与えるダンパー手段と、からなる押出し機構と、
引出しの左右両側に固設され、引出しが閉じた状態で少なくとも一部がシンクの側方へ位置するラックと、キャビネット本体の左右両側に前記ラックに噛み合った状態で回転可能に支持された歯車と、前記左右両側の歯車を連結する回転軸と、からなるリンク機構と、
を備え、
該リンク機構の前記回転軸はシンクの前方側に設けられたことを特徴とするキッチンキャビネット。
【請求項２】
前記押出し機構は、前記引出しの略中央位置でかつ引出しの底板の下方の桟に設けられ、該底板の下方からシンクの下方位置へ向かって延設されていることを特徴とする請求項１に記載のキッチンキャビネット。
【手続補正２】
【補正対象書類名】明細書
【補正対象項目名】０００４
【補正方法】変更
【補正の内容】
【０００４】
本発明は上記従来の問題点に鑑み案出したものであって、シンクの前の限られたスペースを収納部として有効利用することができ、引出しは押すだけで簡単かつ確実に開閉できるキッチンキャビネットを提供せんとするものであり、その請求項１は、キャビネット本体に設けられたシンクと、該シンクの前方に収納部を有する引出しと、を備えたキッチンキャビネットであって、前記引出しをキャビネット本体に対して前後移動可能に支持する支持機構と、引出しを開く方向へ付勢する付勢手段と、引出しを奥側へ押す毎に引出しを開くことを許容するロック解除状態と引出しを開くことを規制するロック状態とを交互に切り替えるラッチ手段と、引出しが開閉移動する際に引出しに対して制動力を与えるダンパー手段と、からなる押出し機構と、引出しの左右両側に固設され、引出しが閉じた状態で少なくとも一部がシンクの側方へ位置するラックと、キャビネット本体の左右両側に前記ラックに噛み合った状態で回転可能に支持された歯車と、前記左右両側の歯車を連結する回転軸と、からなるリンク機構と、を備え、該リンク機構の前記回転軸はシンクの前方側に設けられたことである。
【手続補正３】
【補正対象書類名】明細書
【補正対象項目名】０００６
【補正方法】変更
【補正の内容】
【０００６】
本発明は、キャビネット本体に設けられたシンクと、該シンクの前方に収納部を有する引出しと、を備えたキッチンキャビネットであって、前記引出しをキャビネット本体に対して前後移動可能に支持する支持機構と、引出しを開く方向へ付勢する付勢手段と、引出しを奥側へ押す毎に引出しを開くことを許容するロック解除状態と引出しを開くことを規制するロック状態とを交互に切り替えるラッチ手段と、引出しが開閉移動する際に引出しに対して制動力を与えるダンパー手段と、からなる押出し機構と、引出しの左右両側に固設され、引出しが閉じた状態で少なくとも一部がシンクの側方へ位置するラックと、キャビネット本体の左右両側に前記ラックに噛み合った状態で回転可能に支持された歯車と、前記左右両側の歯車を連結する回転軸と、からなるリンク機構と、を備え、該リンク機構の前記回転軸はシンクの前方側に設けられたことにより、シンク前方のスペースを収納部として有効利用することができるものとなる。
また、ラッチ手段により引出しを押すだけで開閉させることができ、操作が楽であり、しかも、引出しはダンパー手段によりゆっくり開閉するため、高級感があるキッチンキャビネットとなる。また、引出しの端側を押した場合でも、リンク機構により、引出しの左右両端の前後方向の位置を常に同じ位置に保ちながら前後に移動させるので、引出しが傾くことなくスムーズに前後方向に動き、引出しの開閉を確実に行なうことができるものとなる。
また、回転軸がシンクの前方側に設けられているため、デッドスペースを最小限に抑え、キャビネット全体としての収納空間を最大限に確保することができるものとなる。